(57)【要約】【課題】送信者による通信データの入力や編集時を記録した時刻情報により、送信者が行った通信データ作成時の時間経過を、受信者側の通信端末で表現することを可能としたシステムを提供する。【解決手段】判断部１７は、操作部１２により入力された文字と、文字変換を示す情報と、を含むデータを作成する。時刻付加部２０は、前記データに文字入力された際の時刻情報を付加する。判断部１７は、前記データに含まれる、変換が確定した文字を、前記データに含まれる時刻情報に応じたタイミングで表示する。【選択図】図１
2010062817.tif 000002
【特許請求の範囲】
【請求項１】
文字入力手段により入力された文字と、文字変換を示す情報と、を含むデータを作成するデータ作成手段と、
前記データに文字入力された際の時刻情報を付加する時刻付加手段と、
前記データに含まれる文字を、前記データに含まれる時刻情報に応じたタイミングで表示するデータ表示制御手段と、
を有することを特徴とする、通信端末。
【請求項２】
前記データ表示手段は、他の通信端末の前記時刻付加手段にて時刻情報が付加された前記データを受信して、当該データに含まれる文字を、当該データに含まれる時刻情報に応じたタイミングで表示することを特徴とする、請求項１に記載の通信端末。
【請求項３】
前記データが、文字単位、単語単位、文章単位のデータであることを特徴とする、請求項１に記載の通信端末。
【請求項４】
前記データ作成手段は、前記データに含まれる変換未確定の文字を表示するための、変換未確定情報を付加し、
前記データ表示制御手段が、前記変換未確定情報に応じて前記変換未確定の文字を表示することを特徴とする、請求項１に記載の通信端末。
【請求項５】
ユーザの操作を検出する表示タイミング操作手段を備え、
前記データ表示制御手段が、前記操作手段が検出したユーザの操作に従って、文字を表示することを特徴とする、請求項１に記載の通信端末。
【請求項６】
前記データ作成手段は、前記データから、変換未確定の文字を削除する変換未確定文字削除手段を有することを特徴とする、請求項1に記載の通信端末。
【請求項７】
文字を編集した回数を記憶する編集回数記憶手段を備え、
当該編集回数に応じて、文字を強調表示するための編集回数情報を前記データに付加する編集手段を備え、
前記データ表示制御手段が、前記編集回数情報に応じて文字を強調表示する、請求項1に記載の通信端末。
【請求項８】
文字変換確定までの文字変換回数を記憶する変換回数記憶手段を備え、
当該変換回数に応じて、文字を強調表示するための変換回数情報を前記データに付加する編集手段を備え、
前記データ表示制御手段が、前記変換回数情報に応じて文字を強調表示する、請求項1に記載の通信端末。
【請求項９】
入力される文章内容に応じて前記データに含まれる文字の中で強調表示する文字を判別する文章内容判断手段を備え、
前記データ表示手段は、文字を表示する際に、前記文章内容判別手段が検出した文字を強調表示する、請求項１に記載の通信端末。
【請求項１０】
前記データに、文字の表示効果に係る表示効果情報を付加する表示効果情報付加手段と、
前記表示効果情報に応じて、発光部、または振動発生部、またはスピーカ、または周辺機器とのインターフェース、
を駆動させる駆動手段を有する、請求項１に記載の通信端末。
【請求項１１】
通信端末における表示方法であって、
前記データ作成手段が文字入力手段により入力された文字と、文字変換を示す情報と、を含むデータを作成するステップと、
前記時刻付加手段が、前記データに文字入力された際の時刻情報を付加するステップと、
前記データ表示制御手段が、前記データに含まれる、変換が確定した文字を、前記データに含まれる時刻情報に応じたタイミングで表示するステップと、
を有することを特徴とする表示方法。
【請求項１２】
コンピュータを、
文字入力手段により入力された文字と、文字変換を示す情報と、を含むデータを作成するデータ作成手段、
前記データに文字入力された際の時刻情報を付加する時刻付加手段、
前記データに含まれる、変換が確定した文字を、前記データに含まれる時刻情報に応じたタイミングで表示するデータ表示制御手段、
として機能させるための表示プログラム。
【発明の詳細な説明】
【技術分野】
【０００１】
本発明は、例えば携帯電話端末に適用される、通信端末、表示方法及び表示プログラムに関する。
【背景技術】
【０００２】
近年、小型で携帯しやすい携帯情報端末が国内外で急速に普及しており、幅広い年齢層に受け入れられたことから、今後もメールによる文字コミュニケーションによる表現手段への要求が高まることが予想されており、単なる文字情報のみならず、従来には無かった表現方法を送信相手に伝える手段への展開が注目されている。
【０００３】
従来、テキストデータ、画像データ、音、振動、照明を使い、電子機器のユーザに表示効果として示す方法が提案されている。またこれらの要素を相互に関連付け、より複合的に表示演出をすることも可能であり、これを実現するため、本来の通信データに表示演出のための情報を付加して別の通信端末へ送信し、受信側通信端末では、本来の通信データ内容の表示とともに、様々な表現手段を用いて効果的な表示演出をさせる技術も示されている(例えば、特許文献１参照)。
【０００４】
また、メール送信者側の通信端末において、メール本文の文字列データにメロディデータを付加してエンコードを行い、メール受信者側の通信端末において、受信したメール本文のテキストデータに加え、メロディデータをデコード処理し、再生する技術も示されている(例えば、特許文献２や特許文献３参照)。
【特許文献１】特開２００２−３００２３５号公報
【特許文献２】特開２００７−３１６８７８号公報
【特許文献３】特開平１１−１３６３９３号公報
【発明の開示】
【発明が解決しようとする課題】
【０００５】
しかしながら従来技術では、通信データの効果的な表示方法は示されていなかった。例えば、前記特許文献１に記載の表示方法では、受信者は時計表示によって示された時刻により時間経過を知覚するため、時間経過感覚を受信者に表現することが困難であった。
【０００６】
また、前記特許文献２および前記特許文献３の携帯電話機においては、送信者の入力操作時の時間経過に対応した情報提示が出来ず、時間経過を表現しようとする送信者の意図を、受信者にうまく伝えることができなかった。
【０００７】
本発明は前記の諸点に鑑みてなされたものであり、送信者が行った通信データ作成時の時間経過を、受信者側の通信端末で表現することを可能としたシステムを提供することを目的としている。
【課題を解決するための手段】
【０００８】
本発明は、文字入力手段により入力された文字と、文字変換を示す情報と、を含むデータを作成するデータ作成手段と、前記データに文字入力された際の時刻情報を付加する時刻付加手段と、前記データに含まれる文字を、前記データに含まれる時刻情報に応じたタイミングで表示するデータ表示制御手段と、を有することを特徴とする、通信端末である。
【０００９】
また、本発明は、前記データ表示手段は、他の通信端末の前記時刻付加手段にて時刻情報が付加された前記データを受信して、当該データに含まれる文字を、当該データに含まれる時刻情報に応じたタイミングで表示することを特徴とする、通信端末である。
【００１０】
また、本発明は、前記データが、文字単位、単語単位、文章単位のデータであることを特徴とする、通信端末である。
【００１１】
また、本発明は、前記データ作成手段は、前記データに含まれる変換未確定の文字を表示するための、変換未確定情報を付加し、前記データ表示制御手段が、前記変換未確定情報に応じて前記変換未確定の文字を表示することを特徴とする、通信端末である。
【００１２】
また、本発明は、ユーザの操作を検出する表示タイミング操作手段を備え、前記データ表示制御手段が、前記操作手段が検出したユーザの操作に従って、文字を表示することを特徴とする、通信端末である。
【００１３】
また、本発明は、前記データ作成手段は、前記データから、変換未確定の文字を削除する変換未確定文字削除手段を有することを特徴とする、通信端末である。
【００１４】
また、本発明は、文字を編集した回数を記憶する編集回数記憶手段を備え、当該編集回数に応じて、文字を強調表示するための編集回数情報を前記データに付加する編集手段を備え、前記データ表示制御手段が、前記編集回数情報に応じて文字を強調表示する、通信端末である。
【００１５】
また、本発明は、文字変換確定までの文字変換回数を記憶する変換回数記憶手段を備え、当該変換回数に応じて、文字を強調表示するための変換回数情報を前記データに付加する編集手段を備え、前記データ表示制御手段が、前記変換回数情報に応じて文字を強調表示する、通信端末である。
【００１６】
また、本発明は、入力される文章内容に応じて前記データに含まれる文字の中で強調表示する文字を判別する文章内容判断手段を備え、  前記データ表示手段は、文字を表示する際に、前記文章内容判別手段が検出した文字を強調表示する、通信端末である。
【００１７】
また、本発明は、前記データに、文字の表示効果に係る表示効果情報を付加する表示効果情報付加手段と、前記表示効果情報に応じて、発光部、または振動発生部、またはスピーカ、または周辺機器とのインターフェース、を駆動させる駆動手段を有する、通信端末である。
【００１８】
また、本発明は、通信端末における表示方法であって、前記データ作成手段が文字入力手段により入力された文字と、文字変換を示す情報と、を含むデータを作成するステップと、前記時刻付加手段が、前記データに文字入力された際の時刻情報を付加するステップと、前記データ表示制御手段が、前記データに含まれる、変換が確定した文字を、前記データに含まれる時刻情報に応じたタイミングで表示するステップと、を有することを特徴とする表示方法である。
【００１９】
また、本発明は、コンピュータを、文字入力手段により入力された文字と、文字変換を示す情報と、を含むデータを作成するデータ作成手段、前記データに文字入力された際の時刻情報を付加する時刻付加手段、前記データに含まれる、変換が確定した文字を、前記データに含まれる時刻情報に応じたタイミングで表示するデータ表示制御手段、として機能させるための表示プログラムである。
【発明の効果】
【００２０】
本発明によれば、送信者が通信データの入力や編集を行った操作時（入力時刻）を記録した時刻情報に対応した表示再生をすることが可能となり、受信者は送信者が送信データを作成したときの時間経過を感じることが可能となる。
【発明を実施するための最良の形態】
【００２１】
次に、本発明の実施の形態について図面を参照して詳細に説明する。
[第１の実施の形態]
図１は、本実施の一形態による携帯電話端末のブロック図である。
図１において、携帯電話端末は、送受信部１と、送信データ記憶部２と、受信データ記憶部３と、インターフェース４と、カメラ部５と、各種センサ（加速度センサ、磁気センサなど）６と、スピーカ７と、表示部８と、発光部９と、振動発生部１０と、マイク１１と、操作部１２と、制御部１８と、アンテナ１９と、時刻付加部２０を含んで構成される。
【００２２】
送受信部１は、他の携帯電話端末との通信機能を備え、他の携帯電話端末から通信データを受信する機能と、送信データ記憶部２に記憶された通信データを他の携帯電話端末に送信する機能を有する。アンテナ１９は、送受信部１への入出力を無線により行う場合に電波を受信する目的で使用される。なお、有線で通信を行う場合にはアンテナ１９の代わりに有線通信インターフェースを設けるようにすれば良い。
【００２３】
送信データ記憶部２は、他の携帯電話端末に送信する通信データを記憶する。受信データ記憶部３は、他の携帯電話端末から送受信部１が受信した通信データを記憶する。
【００２４】
制御部１８は、エンコーダ１３と、デコーダ１４と、時計１５と、編集部１６と、判断部１７と、時刻付加部２０を有する。
【００２５】
エンコーダ１３は、送信する通信データのエンコードを行う。また、エンコーダ１３は、送信データ記憶部２に記憶されたデータを、送信する通信データのフォーマットに準拠するようデータ変換を行う。さらに、エンコーダ１３は、送受信部１に変換後のデータを出力する。デコーダ１４は、送受信部１が受信した通信データをデコードし、受信データ記憶部３に記憶する。
【００２６】
時計１５は、携帯電話端末の時刻情報を出力する。編集部１６は、携帯電話端末の送信者または受信者が、操作部１２により入力したデータを編集して、送信データ記憶部２、または、受信データ記憶部３に記憶する。また、編集部１６は、送信データ記憶部２、または、受信データ記憶部３に記憶された通信データを削除する。判断部１７は、操作部１２により入力したデータの内容を判断し、送信データ記憶部２、または受信データ記憶部３に通信データを記憶する。時刻付加部２０は、操作部１２により入力したデータと、その入力時刻を時計１５を参照して記録し、送信データ記憶部２、または受信データ記憶部３に通信データを記憶する。
【００２７】
インターフェース４は、携帯電話端末の周辺機器との通信における通信規格に適合したデータ変換する。各種センサ６は、例えば加速度や磁気強度を測定、数値化し、判断部１７に出力する。
【００２８】
スピーカ７は、音を出力する。表示部８は、判断部１７からのデータ出力を、携帯電話端末の液晶画面などに表示する。発光部９は、判断部１７の判断結果に従って、ＬＥＤ（Ｌｉｇｈｔ  Ｅｍｉｔｔｉｎｇ  Ｄｉｏｄｅ）等で発光する。振動発生部１０は、判断部１７の制御により、端末に振動を生じさせる。マイク１１は、音声と背景音を収音し、音声信号を判断部１７に出力する。
【００２９】
図２は、本実施の一形態による携帯電話端末における送信データ記憶部２、または受信データ記憶部３に記憶される通信データの形式を示した図である。この通信データは、入力時刻、入力内容、編集内容、入力データ効果、表示効果、の要素により構成される。
【００３０】
入力時刻は、送信者が通信データの入力や編集を行った操作時（入力時刻）を記録した時刻情報（以下、入力時刻暦と称する）である。送信者が操作部１２を操作し、例えば、文字入力（図２「Ｔ１からＴ５」）、文字変換中の文字選択操作（図２「Ｔ６」「Ｔ７」）、文字変換の確定操作（図２「Ｔ８」「Ｔｎ−１」）、文字入力の編集終了操作（図２「Ｔｎ」）をした時刻を記憶したものである。
【００３１】
編集内容は、メール本文の情報である。送信者が操作部１２を操作し、例えば、入力した文字、変換途中の文字を記憶したものである。
【００３２】
入力内容は、編集内容の種別を示す情報である。送信者が操作部１２を操作し、例えば、文字入力（図２「文字１から文字ｎ」（ｎは自然数））、文字変換中の文字選択操作（図２「変換ｎ１」「変換ｎ２（選定）（ｎ１、ｎ２、は自然数）」）、文字変換の確定操作（図２「確定」）、文字入力の編集終了操作（図２「編集終了」）を記憶したものである。
【００３３】
入力データ効果は、編集内容の文字表示を示す情報である。例えば、図２では、文字フォント（標準太さ文字（以下、ノーマルと称する）、太文字）、など文字表示に関する設定情報である。
【００３４】
表示効果は、編集内容が再生される時の表示効果を示す情報である。例えば、表示単位（図２「１文字ずつ表示」）、表示速度（図２「ペース１」）、文字を表示する（図２「表示」）、文字を飛ばし表示する（以下、スキップと称する）（図２「スキップ」）、振動発生部１０を動作させて端末を振動させる（以下、バイブと称する）（図２「バイブ」）との連動、などに関する設定情報である。
【００３５】
なお、これらの通信データは、送信者側携帯電話端末では送信データ記憶部２に記憶され、受信者側携帯電話端末では受信データ記憶部３に記憶される。
【００３６】
図２における通信データの構成手順を、例を用いて説明する。
まず送信者は、操作部１２を用いて、メール文書の本文作成を行う。例えばここで、送信者がひらがなの「せ」を入力する。すると操作部１２は、「せ」が「編集内容」として選択されたこと、「入力内容」が「文字１」であることを、判断部１７と時刻付加部２０に通知する。時刻付加部２０は、通知されたデータ「せ」を受信し、時計１５を参照して「せ」の「入力時刻」に「Ｔ１」を記録して、送信データ記憶部３に記憶する。また判断部１７は、「入力内容」が「確定」でないことから、「入力データ効果」を「ノーマル」、「表示効果」を「スキップ」とし、さらに、「入力内容」を「文字１」、「編集内容」を「せ」として、送信データ記憶部３に記憶する。
【００３７】
すなわち、判断部１７は、操作部１２からの通知された「入力内容」が「確定」でない場合は、「入力データ効果」を「ノーマル」、「表示効果」を「スキップ」として、送信データ記憶部３に記憶する。さらに、判断部１７は、操作部１２から通知される「入力内容」と「編集内容」を送信データ記憶部３に記憶する。また、判断部１７は操作部１２からの通知された「入力内容」が「確定」の場合は、「入力データ効果」を「太文字」、「表示効果」を「表示  ＋バイブ」として、送信データ記憶部３に記憶する。さらに、判断部１７は、操作部１２から通知される「入力内容」と「編集内容」を送信データ記憶部３に記憶する、というルールに従う。
【００３８】
引き続き、送信者は「ん」「じ」「つ」「は」と操作部１２から入力操作したものとし、前述と同様の動作により、通信データの各要素は送信データ記憶部３に記憶される。さらに、送信者が「カナ→漢字変換」中に「千日は」を一時選択した場合、操作部１２は、「千日は」が「編集内容」として選択されたこと、「入力内容」が「変換１」であることを、時刻付加部２０と判断部１７に通知する。時刻付加部２０は通知されたデータ「千日は」を受信し、時計１５を参照して、「千日は」の「入力時刻」に「Ｔ６」を記録して、送信データ記憶部３に記憶する。さらに、判断部１７は、「入力データ効果」を「ノーマル」、「表示効果」を「スキップ」とし、さらに、「入力内容」を「変換１」と、「編集内容」を「千日は」として、送信データ記憶部３に記憶する。
【００３９】
同様に、送信者が「カナ→漢字変換」中に「先日は」を選定した場合、操作部１２は、「先日は」が「編集内容」として選定されたこと、「入力内容」が「変換２（選定）」であることを、時刻付加部２０と判断部１７に通知する。時刻付加部２０は通知されたデータ「先日は」を受信し、時計１５を参照して、「先日は」の「入力時刻」に「Ｔ７」を記録して、送信データ記憶部３に記憶する。また判断部１７は、「入力内容」が「確定」でないことから、「入力データ効果」を「ノーマル」、「表示効果」を「スキップ」とし、さらに、「入力内容」を「変換２（選定）」と、「編集内容」を「先日は」として、送信データ記憶部３に記憶する。
【００４０】
続けて、送信者が「カナ→漢字変換」中に「先日は」を確定させた場合、操作部１２は、「編集内容」として「先日は」と、「入力内容」が「確定」であることを、時刻付加部２０と判断部１７に通知する。時刻付加部２０は通知されたデータ「先日は」を受信し、時計１５を参照して、「先日は」の「入力時刻」に「Ｔ８」を記録して、送信データ記憶部３に記憶する。また判断部１７は、「入力内容」が「確定」であることから、「入力データ効果」を「太文字」、「表示効果」を「表示  ＋バイブ」、「入力内容」の「確定」と、「編集内容」の「先日は」を送信データ記憶部３に記憶する。なお、この「先日は」の「カナ→漢字変換」で文字が確定するまでにかかった文字変換回数を判断部１７が送信データ記憶部３に記憶しておき、この文字変換回数に応じて、判断部１７が設定する「入力データ効果」や「表示効果」のパラメータを違えるようにしてもよい。
【００４１】
送信者が本文作成を終了した場合、操作部１２は、時刻付加部２０と判断部１７に「入力内容」として「編集終了」を通知する。時刻付加部２０は通知されたデータ「編集終了」を受信し、時計１５を参照して、「入力時刻」に「Ｔｎ」を送信データ記憶部３に記憶する。ここでｎは自然数の添え字である。また判断部１７は、「入力内容」に「編集終了」を送信データ記憶部３に記憶する。
【００４２】
送信者は作成した本文の入力時刻暦を利用した表示再生を、受信者側の端末で有効にするか否かを選択することができる。この時に送信者が行う「入力データ効果」「表示効果」の編集方法について以下に示す。
【００４３】
図３は、本発明実施の一形態による送信者側携帯電話端末における送信時の動作を示したフローチャートである。送信者側の端末における前述の動作は、図３のフローチャートの「本文作成」の動作である(ステップＳ１)。
【００４４】
「本文作成」が行われた後、送信者は、受信者側の端末で入力時刻暦を利用した表示をさせるか否かを設定する。送信者が操作部１２から、入力時刻暦を利用した表示再生を無効に設定すると、操作部１２は、無効が設定されたことを編集部１６に通知し、編集部１６は表示再生の設定は無効であると判断する（ステップＳ２）。編集部１６が表示再生の設定が無効であると判断した場合は、図２の「入力データ効果」、「表示効果」の設定は行わず、編集部１６は、ステップＳ５のその他の設定、例えば送信先メールアドレスの設定等に移行する。その後、送信者がメール文書の作成を終了すると、操作部１２はメール文書の作成が終了したことを編集部１６に通知し、編集部１６は処理を終了する。
【００４５】
一方、送信者が操作部１２を用いて、入力時刻暦を利用した表示再生を有効に設定したときは、操作部１２は入力時刻暦を利用した表示再生が有効に設定されたことを編集部１６に通知する。編集部１６は表示再生の設定を有効と判断して、ステップＳ３の入力データ効果の設定に移行する。
【００４６】
図４は、前述の動作により表示部８に表示された発信(送信)メールの本文画面を示す図であり、発信(送信)メールの本文全体が示されている。送信者が操作部１２を用いて行う「入力データ効果」の設定を、図４に表示した文章を例に説明する。メール本文の先頭にある「先日は」を太文字で表示させたい場合、送信者は操作部１２を用いて「先日は」を範囲指定して、この範囲を太文字表示させることを設定する。操作部１２は、「先日は」が太文字表示に指定されたことを、編集部１６に通知する。編集部１６は、図２の形式で送信データ記憶部３に記憶された通信データの中から、「入力内容」の「確定」のうち１番上の段にある「先日は」を検索により見つけ、その段の「入力データ効果」に「太文字」を記憶する(ステップＳ３)。なお、この編集作業を繰り返した回数を編集部１６が記憶しておき、編集作業の繰り返し回数に応じて、編集部１６が設定する「入力データ効果」のパラメータを違えるようにしてもよい。
【００４７】
次に、編集部１６は「表示効果」の設定に移行する。メール本文の先頭にある「先日は」を１文字ずつ表示させたい場合、送信者は操作部１２を用いて「先日は」を範囲指定して、この範囲を「ペース１」で「１文字ずつ表示」させることを設定する。操作部１２は、「先日は」が「ペース１  １文字ずつ表示」に指定されたことを、編集部１６に通知する。編集部１６は、送信データ記憶部３に記憶された図２のデータの中から、「入力内容」の「確定」のうち１番上の段にある「先日は」を検索により見つけ、その段の「入力データ効果」に「ペース１  １文字ずつ表示」を記憶する。なお、編集部１６は、図２の通信データについて記憶機能のほか、削除機能を有する。例えば、編集部１６は、「入力内容」に「確定」が記憶されている箇所を検索し、「入力内容」に「確定」以外のデータを削除することで、送信データ量を削減できる (ステップＳ４)。さらに、この編集作業を繰り返した回数を編集部１６が記憶しておき、編集作業の繰り返し回数に応じて、編集部１６が設定する「表示効果」のパラメータを違えるようにしてもよい。
【００４８】
次に、編集部１６は、例えば送信先メールアドレス設定などを行うその他の設定へ移行し(ステップＳ５)、その後、送信者はメール文書の作成を終了する。
【００４９】
次に、図５、図６を参照して、表示動作について説明する。なお、送信者側の端末でも送信メールの表示効果を、送信前に事前確認するなどのために本発明に係る表示機能を使用することができるが、以下では受信者側端末における動作として説明する。
【００５０】
図５は、本発明実施の一形態による携帯電話端末の受信メール本文の表示動作を示したフローチャートである。図５において、受信者がメール機能を起動すると、送受信部１が受信した通信データは、受信データ記憶部３に記憶され、判断部１７は、受信データ記憶部３から図２に示す通信データを取得する（ステップＳa１）。判断部１７は、取得した通信データに入力時刻暦が存在するか否かを検索することで、受信した通信データが、送信者による入力時刻暦付きデータであるか否かを判断する（ステップＳa２）。受信した通信データが、入力時刻暦付きデータである場合（ステップＳa２「ＹＥＳ」の場合）は、判断部１７は現在表示している画面が、受信データの本文を表示するモードであるか否かの判断を行う（ステップＳa３）。ステップＳa２において、取得したデータに入力時刻暦が存在しない場合は、判断部１７は、受信メールが入力時刻暦付きデータで無いと判断し（ステップＳa２「ＮＯ」）、受信メール本文の通常表示（ステップＳa８）に処理を進める。
【００５１】
図５のステップＳa３において、判断部１７が受信データの本文を表示するモードであることを認識すると（ステップＳa３「ＹＥＳ」）、判断部１７は、受信者が入力時刻暦を利用した再生表示方法を有効にしているか否かを設定情報に基づいて判断する（ステップＳa４）。表示が有効に設定されている場合は、判断部１７の処理はステップＳa５に進み（ステップＳa４「ＹＥＳ」）、入力時刻暦を利用した再生表示方法を受信者が無効に設定している場合は、たとえ入力時刻暦が存在するデータであっても、入力時刻暦を利用した再生表示方法が無効化され、メール本文について通常表示を行うためステップＳa８に進む（ステップＳa４「ＮＯ」）。一方、判断部１７が受信データの本文を表示するモードでない場合（ステップＳa３「ＮＯ」）、本発明の表示は行わず、処理を終了する。
【００５２】
入力時刻暦を利用した再生表示方法が有効に設定されている場合、判断部１７は、入力時刻暦を利用した表示再生方法に従って、表示部８にメールを表示する。ここで、メール本文の表示開始時、判断部１７は、受信データ記憶部３の通信データのうち、「入力内容」が確定している段数を数え、それぞれの段の「編集内容」にある文字数と同じ数だけ、表示部１８に「・」表示を行う。これにより、本文の量が単なる空白ではなく、「・・・・」などの記号を用いて表現されることで、送信者の操作を基とした入力時刻暦により受信側の再生動作が停滞することになっても、受信者はメール本文の全文が表示されたのか、表示途中なのかを知ることができる（ステップＳa５）。図７は、受信メール本文の表示画面を示す図である。
【００５３】
表示の途中で、受信者が操作部１２を操作することにより、メール本文のスキップ、巻き戻し表示、繰り返し表示（リピート）などを要求した場合、操作部１２は、それらの要求があったことを判断部１７に通知し、判断部１７は、受信者が変速再生の表示要求をしたか否かを認識する（ステップＳa６）。
【００５４】
表示の途中で、受信者が操作部１２を操作することにより、メール本文のスキップ、巻き戻し表示、繰り返し表示（リピート）などを要求した場合（ステップＳa６「ＹＥＳ」）、判断部１７は、ぞれぞれの要求に対応した再生表示をする。
受信者が操作部１２を操作することにより、スキップを要求した場合、操作部１２は、受信者がスキップを要求したことを判断部１７に通知する。判断部１７は、受信データ記憶部３に記憶された図２に示す通信データのうち、表示が完了している段から、受信者が操作部１２を用いて指定した文字までの「編集内容」を、入力時刻暦に関係なく即時に表示する。なお、受信者が操作部１２を用いて指定した文字までの「表示効果」が「スキップ」である「編集内容」は表示しない、としてもよい。
【００５５】
受信者が操作部１２を操作することにより、巻き戻し表示を要求した場合、操作部１２は、受信者が巻き戻し表示を要求したことを判断部１７に通知する。判断部１７は、受信データ記憶部３に記憶された図２に示す通信データのうち、「入力内容」が「確定」になっているデータを検索し、それらの通信データの「編集内容」についてのみ、入力時刻暦に関係なく、表示が完了している段から上段に向かって「・」に置き換えて表示する（ステップＳa９）。
【００５６】
受信者が操作部１２を操作することにより、繰り返し表示するメール文章の範囲を指定した場合、判断部１７は、その指定範囲の最後まで入力時刻暦を利用した表示再生方法に従って、表示部８にメール本文を表示し、その後、指定範囲の最初まで、前記巻き戻し表示を行い、再び入力時刻暦を利用した表示再生方法に従って、指定範囲の最後まで表示部８にメール本文を表示する。
【００５７】
メール本文の表示の途中で、受信者が操作部１２により変速再生表示の要求をしない場合、または要求をしなくなった場合（ステップＳa６「ＮＯ」）は、判断部１７は、メール本文の最終データまで、入力時刻暦を利用した表示再生方法に従ってメール本文を表示する（ステップＳa７）、図２に示す通信データの最下段まで表示が完了すると、判断部１７は、通常表示モードとなり、その状態を維持する（ステップＳa８）。
【００５８】
図５のステップＳa５、ステップＳa７、ステップＳa９、の繰り返し表示における、入力時刻暦を利用した表示再生方法の動作について説明する。図６は、入力時刻暦を利用した表示再生の動作フローチャートである。判断部１７は、図２に示す通信データのうち、今回の表示判断対象としたデータ段を、受信データ記憶部３に記憶された通信データから取得する（ステップＳａ１０）。
【００５９】
図２に示す通信データのうち、今回の表示判断対象の「表示効果」が「スキップ」である場合は、入力時刻暦によらず表示を行うため、判断部１７は、ステップＳａ１８に進み、「表示効果」が「スキップ」でない場合は、判断部１７は、ステップＳａ１２に進む（ステップＳａ１１）なお、今回の表示判断対象の「表示効果」が「スキップ」である場合は、今回の表示判断対象の「編集内容」は表示しない、としてもよい。
【００６０】
判断部１７は、図２に示す通信データで、今回の表示判断対象としたデータ段よりも上の段が存在するか否かで、表示している文字があるか否かを判断する（ステップＳａ１２）前回表示が完了している文字がある場合は、前回の表示判断対象としたデータ段の「入力時刻」と、今回の表示判断対象としたデータ段の「入力時刻」との差を計算する（これを変数Ｅに記憶する）（ステップＳａ１３）。このとき、変数Ｄには、前回表示が完了した時刻が記憶されている（ステップＳａ１９）。ステップＳａ１０において、表示が完了している文字が無い場合は、初期値として、変数Ｄに現在時刻を記憶し（ステップＳａ２２）、変数Ｅに０を記憶する（ステップＳａ２３）。
【００６１】
判断部１７は、変数Ｅと、現在時刻と変数Ｄとの差、を比較する（ステップＳａ１４）。ここで、変数Ｅと、現在時刻と変数Ｄとの差、が同じである場合は、表示時刻になったことを意味する。また、変数Ｅより、現在時刻と変数Ｄとの差、のほうが大きい場合は、表示時刻が過ぎていることを意味する。表示時刻になった、あるいは表示時刻を過ぎた場合（ステップＳａ１４の「ＹＥＳ」）は、表示判断対象の表示効果の判断に進む（ステップＳａ１６）。表示時刻になっていない場合は、時間経過を待ち（ステップＳａ１５）、判断部１７は、変数Ｅと、現在時刻と変数Ｄとの差、を再び比較する（ステップＳａ１４）。
【００６２】
判断部１７は、図２に示す通信データについて、表示判断対象段の「表示効果」に応じて、「編集内容」の表示再生方法を変える（ステップＳａ１６）。「表示効果」が「ペース」の場合は、指定された時間が経過するまで待ち（ステップＳa１７）、ステップＳa１８に進む。「表示効果」が「スキップ」の場合は、判断部１７は、「入力データ効果」に応じて、「ノーマル」の表示処理を施して「編集内容」を表示部８に表示する。「表示効果」が「表示」の場合は、判断部１７は、それまで「表示効果」の「スキップ」により表示していた「編集内容」があれば表示を消去し、次に「入力データ効果」に応じて、「太文字」等の表示処理を施して「編集内容」を表示部８に表示する。このとき、併せて「表示効果」が設定されている場合は、表示タイミングに「表示効果」を連動させる。例えば、「表示効果」に「バイブ」が設定されている場合は、判断部１７は「編集内容」を表示部８に表示するタイミングで、振動発生部１０に指示を出し、端末を振動させる（ステップＳa１８）。
【００６３】
次に、判断部１７は、変数Ｄに現在時刻を記憶し（ステップＳa１９）、図２に示す通信データについて、表示判断対象段を１段下に進める（ステップＳa２０）。次に、図２に示す通信データの表示判断対象段の「入力内容」が「編集終了」であるか否かを判断し、「編集終了」でない場合は、次の表示判断対象段のデータを取得する（ステップＳa１０）。以上の動作を繰り返し、図２に示す通信データで「入力内容」が「編集終了」の場合は、処理を終了させる。なお、本発明の表示方法は、本文以外にも、メールのタイトル（Ｓｕｂｊｅｃｔ）部分に適用してもよい。
【００６４】
また、判断部１７は、図２に示す通信データについて、表示部８に表示する際、文章内容に応じ、文字に「入力データ効果」「表示効果」に示す表示処理を施して「編集内容」を表示部８に表示する。文章内容の判断には、例えば、下記の文献に示す手段を用いる。判断部１７は、例えば、図４に示す文章の一部である「とても嬉しかったです。」を表示する際、図２に示す通信データに含まれる「入力データ効果」「表示効果」の代わりに、「入力データ効果」として「太文字」表示、「表示効果」として「１文字ずつ表示」、を選択することができる。
（文献：“中に“教授”が入ってます──「N901iS」の“感情お知らせメール””、［online］、平成１７年６月２０日、ＩＴｍｅｄｉａモバイル、［平成２０年８月２１日検索］、インターネット〈URL：http://plusd.itmedia.co.jp/mobile/articles/0506/20/news025.html〉）
【００６５】
以上、この発明の実施形態について図面を参照して詳述してきたが、具体的な構成はこの実施形態に限られるものではなく、この発明の要旨を逸脱しない範囲の設計等も含まれる。例えば、携帯電話端末のみならず、ＰＤＡ（Personal Digital Assistants）、ノートＰＣなどの携帯情報端末、さらには、デスクトップパソコンでのメール送受信などにも本発明を適用可能である。
【００６６】
また、本発明に記載の文字入力手段は、操作部１２と判断部１７に対応し、データ作成手段は、判断部１７と編集部１６に対応し、時刻付加手段は、時刻付加部２０に対応し、データ表示制御手段は、判断部１７に対応し、表示タイミング操作手段は、操作部１２と、判断部１７に対応し、表示効果情報付加手段は、判断部１７と編集部１６に対応し、駆動手段は、判断部１７に対応し、編集回数記憶手段は、送信データ記憶部２と、受信データ記憶部３に対応し、編集手段は、編集部１６に対応し、変換回数記憶手段は、送信データ記憶部２と、受信データ記憶部３に対応し、駆動手段は、判断部１７し、文章内容判断手段は、判断部１７に対応する。
【００６７】
また、図３、図５、図６に示す各ステップを実現するためのプログラムをコンピュータ読み取り可能な記録媒体に記録して、この記録媒体に記録されたプログラムをコンピュータシステムに読み込ませ、実行することにより、通信端末の実行処理を行ってもよい。なお、ここでいう「コンピュータシステム」とは、ＯＳや周辺機器等のハードウェアを含むものであってもよい。
【００６８】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【図面の簡単な説明】
【００７０】
【図１】本実施の一形態による携帯電話端末のブロック図である。
【図２】本実施の一形態による携帯電話端末における送信データ記憶部２、または受信データ記憶部３に記憶されるデータの形式を示した図である。
【図３】本発明実施の一形態による送信者側携帯電話端末における動作を示したフローチャートである。
【図４】本発明実施の一形態による携帯電話端末の表示部に表示された発信(送信)メールの本文画面を示す図である。
【図５】本発明実施の一形態による携帯電話端末の受信メール本文の表示動作フローチャートである。
【図６】本発明実施の一形態による携帯電話端末における、入力時刻暦を利用した表示再生の動作フローチャートである。
【図７】本発明実施の一形態による携帯電話端末における、受信メール本文の表示画面を示す図である。
【符号の説明】
【００７１】
１…送受信部  ２…送信データ記憶部  ３…受信データ記憶部  ４…インターフェース    ５…カメラ  ６…各種センサ  ７…スピ-カ  ８…表示部  ９…発光部  １０…振動発生部  １１…マイク  １２…操作部  １３…エンコ−ダ  １４…デコ−ダ  １５…時計  １６…編集部  １７…判断部  １８…制御部  １９…アンテナ  ２０…時刻付加部
【図１】
2010062817.tif 000003
【図２】
2010062817.tif 000004
【図３】
2010062817.tif 000005
【図４】
2010062817.tif 000006
【図５】
2010062817.tif 000007
【図６】
2010062817.tif 000008
【図７】
2010062817.tif 000009